(57)【特許請求の範囲】
【請求項１】
外嵌ケースの周壁に内嵌ケースの周壁を嵌め入れて組み合わせた矩形状の箱本体に通電回路部材が収容された電気接続箱において、
前記外嵌ケースと前記内嵌ケースの組み合わせ方向が水平方向となる状態にして縦置装着され、
前記縦置装着状態で上方に位置する前記外嵌ケースの上側部分には、前記外嵌ケースの上側部分周壁の外周面上に隙間を隔てて対向配置された庇部が形成されており、
該庇部が前記外嵌ケースの上側部分周壁の開口端縁部を超えて前記内嵌ケースの上方にまで延びていると共に、
前記外嵌ケースの上側部分では、前記組み合わせ方向に直交する方向となる前記外嵌ケースの上側部分周壁の幅方向全体にわたって前記庇部が広がり、且つ前記庇部の上面が前記外嵌ケースの上側部分周壁の幅方向で端部に向かって前記外嵌ケースの下側部分が位置する下方に傾斜する傾斜面とされており、且つ、
前記庇部の前記幅方向における端部には、上方に傾斜する返し部が一体形成されていると共に、該返し部の基端側が、前記外嵌ケースの前記上側部分の基端側に向かって傾斜する傾斜面とされている
ことを特徴とする電気接続箱。
【請求項２】
前記縦置装着状態で上方に位置する前記内嵌ケースの上側部分において、前記内嵌ケースの周壁の外周面上に隙間を隔てて対向配置されると共に、前記外嵌ケースに向かって延び出すカバー壁部が形成されており、該カバー壁部の延出端部が、前記外嵌ケースの周壁と前記庇部との間に嵌め入れられている一方、前記外嵌ケースの周壁の前記開口端縁部が、前記内嵌ケースの周壁と前記カバー壁部との間に嵌め入れられている請求項１に記載の電気接続箱。
【請求項３】
前記内嵌ケースの前記上側部分には、前記内嵌ケースの底壁部に向かって傾斜するテーパ面が形成されており、該テーパ面の上方にまで前記庇部が延び出している請求項１又は２に記載の電気接続箱。
【発明の詳細な説明】
【技術分野】
【０００１】
本発明は、自動車用の電気接続箱に関し、特に、電気接続箱の内部への水の浸入を防止する構造を備えている電気接続箱に関するものである。
【背景技術】
【０００２】
従来から、自動車の車室内やエンジンルーム等には、ヒューズボックスやリレーボックス、ジャンクションボックス等の電気接続箱が適所に装着されている。このような電気接続箱には、例えば、特開２００５−２２９７４０号公報（特許文献１）に記載のとおり、外嵌ケースの周壁に内嵌ケースの周壁を嵌め入れて組み合わせた矩形状の箱本体に、プリント基板やバスバー等から構成される通電回路部材を収容した構造のものが知られている。
【０００３】
ところで、電気接続箱の内部への水の浸入は、通電回路部材の短絡等の原因となることから、防止する必要がある。この点、特許文献１に記載の如き構造の電気接続箱では、通電回路部材を収容する箱本体が、外嵌ケースの周壁に内嵌ケースの周壁を嵌め入れると共に、それらの周壁の重ね合わせ面間に設けられたロック嵌合部等によって嵌合固定した構造とされていることから、それらロック嵌合部の開口部等から内部に水が浸入することが懸念される。これに対して、シールゴム等の防水構造を採用して防水性を確保することも考えられるが、特に車室内に配設される電気接続箱にあっては、被水の危険性が少ないことから、より簡単で安価な防水構造が望まれている。
【０００４】
そこで、このような電気接続箱を各ケースの組み合わせ方向が水平方向となるように縦置きに装着して、ロック嵌合部を水平方向に開口させることで、上方から滴下される水の浸入を防止することが提案されている。
【０００５】
ところが、電気接続箱を縦置きに配設しただけでは、上方から滴下された水が、外嵌ケースの周壁を伝わってロック嵌合部の開口部に回り込んだり、各ケースの周壁の重ね合わせ面間に入り込み、重ね合わされた周壁間における毛細管現象等によりケースの内部にまで水が入り込んでしまう問題が生じていた。
【０００６】
なお、特開２００８−６１４０１号公報（特許文献２）には、各ケースの周壁の重ね合わせ面間から内部に入り込んだ水を、ケースの外部に排水する構造を備えた電気接続箱が提案されている。即ち、特許文献２の図２に示されるように、この電気接続箱では、外嵌ケースの周壁を外壁と内壁の二重構造とすると共に、外嵌ケースの底面に排水孔を開口形成して、該排水孔に向かって内壁を傾斜させている。そして、外嵌ケースの外壁と内壁の間に内嵌ケースの周壁を嵌め入れることにより、外嵌ケースの外壁と内嵌ケースの周壁との重ね合わせ面間から浸入した水が、傾斜した内壁を伝って速やかに排水孔から排出される構造とされている。
【０００７】
しかしながら、特許文献２に記載の電気接続箱の構造では、結局、外嵌ケースの外壁と内嵌ケースの周壁との重ね合わせ面間から内部に水が浸入することとなる。従って、周壁の重ね合わせ面間における毛細管現象により、水が排水孔に誘導されずにケース内に留まったり、或いは、内壁の他の部分を伝ってケースの内部に水が誘導されるおそれもあり、十分な防水効果が期待できなかった。
【先行技術文献】
【特許文献】
【０００８】
【特許文献１】特開２００５−２２９７４０号公報
【特許文献２】特開２００８−６１４０１号公報
【発明の概要】
【発明が解決しようとする課題】
【０００９】
本発明は、上述の如き事情を背景に為されたものであって、その解決課題は、縦置装着される電気接続箱において、外嵌ケースの周壁と内嵌ケースの周壁の重ね合わせ面間や、それらの間に設けられたロック嵌合部等から、箱本体の内部に水が浸入することを有利に防止することができる、新規な構造を備えた電気接続箱を提供することにある。
【課題を解決するための手段】
【００１０】
本発明の第一の態様は、外嵌ケースの周壁に内嵌ケースの周壁を嵌め入れて組み合わせた矩形状の箱本体に通電回路部材が収容された電気接続箱において、前記外嵌ケースと前記内嵌ケースの組み合わせ方向が水平方向となる状態にして縦置装着され、前記縦置装着状態で上方に位置する前記外嵌ケースの上側部分には、前記外嵌ケースの上側部分周壁の外周面上に隙間を隔てて対向配置された庇部が形成されており、該庇部が前記外嵌ケースの上側部分周壁の開口端縁部を超えて前記内嵌ケースの上方にまで延びていると共に、前記外嵌ケースの上側部分では、前記組み合わせ方向に直交する方向となる前記外嵌ケースの上側部分周壁の幅方向全体にわたって前記庇部が広がり、且つ前記庇部の上面が前記外嵌ケースの上側部分周壁の幅方向で端部に向かって前記外嵌ケースの下側部分が位置する下方に傾斜する傾斜面とされており、且つ、前記庇部の前記幅方向における端部には、上方に傾斜する返し部が一体形成されていると共に、該返し部の基端側が、前記外嵌ケースの前記上側部分の基端側に向かって傾斜する傾斜面とされていることを特徴とする。
【００１１】
本態様においては、縦置装着状態で上方に位置する外嵌ケースの上側部分に庇部が形成されており、この庇部が各ケース周壁の重ね合わせ面間の開口部分の全体を上方から覆っている。また、この庇部の上面が、外嵌ケースの周方向の端部に向かって下方に傾斜する傾斜面とされている。これにより、縦置装着される電気接続箱において、上方から水等の液体が滴下された場合には、庇部の上面に付着した水等が庇部の上面の傾斜方向に流下され、水等が各ケースの周壁の重ね合わせ面間の開口部分に至ることが未然に防止される。それ故、各ケースの周壁の重ね合わせ面間やそこに設けられたロック嵌合部の開口部からの電気接続箱の内部に水等が入り込むこと自体を確実に防止できる。
【００１２】
上記本発明の第一の態様に係る電気接続箱においては、前記庇部の前記幅方向における端部には、上方に傾斜する返し部が一体形成されていると共に、該返し部の基端側が、前記外嵌ケースの前記上側部分の基端側に向かって傾斜する傾斜面とされている態様が、採用されている。
【００１３】
本態様によれば、庇部の上面の傾斜によって周方向端部に導かれた水等を、返し部によって塞き止めつつ、返し部の基端側の傾斜面によって、各周壁の重ね合わせ面間の開口部分から遠い外嵌ケースの底壁部側へ導くことができる。これにより、更に確実に電気接続箱内部への水の浸入を防止できる。
【００１４】
本発明の第二の態様は、前記第一の態様に記載の電気接続箱において、前記縦置装着状態で上方に位置する前記内嵌ケースの上側部分において、前記内嵌ケースの周壁の外周面上に隙間を隔てて対向配置されると共に、前記外嵌ケースに向かって延び出すカバー壁部が形成されており、該カバー壁部の延出端部が、前記外嵌ケースの周壁と前記庇部との間に嵌め入れられている一方、前記外嵌ケースの周壁の前記開口端縁部が、前記内嵌ケースの周壁と前記カバー壁部との間に嵌め入れられているものである。
【００１５】
本態様によれば、カバー壁部により各ケースの周壁の重ね合わせ面間の開口部分を組み付け方向（水平方向）の外方から覆うことができ、重ね合わせ面間からの水の入り込みを更に確実に防止できる。また、庇部、カバー壁部、外嵌ケースの周壁、内嵌ケースの周壁が多重に重ね合わされることとなり、万一、水が庇部の延出端部を周り込んだ場合でも、内部への浸入路が複雑となって、電気接続箱の内部まで水が至らないようにすることができる。
【００１６】
本発明の第三の態様は、第一又は第二の態様に記載された電気接続箱において、前記内嵌ケースの前記上側部分には、前記内嵌ケースの底壁部に向かって傾斜するテーパ面が形成されており、該テーパ面の上方にまで前記庇部が延び出しているものである。
【００１７】
本態様によれば、庇部の延出端部から水が内嵌ケース上に流下された場合に、テーパ面を伝って、速やかに水が下方に流下される。これにより、内嵌ケース上に流下された水が、各ケースの周壁の重ね合わせ面間の開口部から遠ざけられて、水が各ケースの開口部に至って電気接続箱の内部に入り込むことが更に確実に防止される。
【発明の効果】
【００１８】
本発明に従う電気接続箱によれば、縦置状態で装着される電気接続箱において、外嵌ケースの上側部分に傾斜を備えた庇部を形成したことにより、上方から電気接続箱に降りかかった水を庇部によって受け止めると共に、各ケースの周壁の重ね合わせ面間の開口部分から遠ざけるように誘導することができる。これにより、各ケースの周壁の重ね合わせ面間からの電気接続箱の内部への水の侵入を阻止することができる。
【図面の簡単な説明】
【００１９】
【図１】本発明の一実施形態としての電気接続箱を示す斜視図。
【図２】図１における拡大ＩＩ−ＩＩ断面図。
【図３】図１に示した内嵌ケースの要部を示す拡大背面図。
【図４】図１に示した内嵌ケースの要部を示す拡大左側面図。
【図５】図１に示した外嵌ケースの要部を示す拡大正面図。
【図６】図１に示した外嵌ケースの要部を示す拡大左側面図。
【発明を実施するための形態】
【００２０】
以下、本発明の実施形態について、図面を参照しつつ説明する。
【００２１】
先ず、図１に本発明の一実施形態としての電気接続箱１０の全体を、図２に電気接続箱１０の要部のみを拡大して示す。電気接続箱１０は、合成樹脂から形成された外嵌ケース１２と内嵌ケース１４とを組み合わせてなる中空矩形状の箱本体１６の内部に、図示しない公知のプリント基板等からなる通電回路部材が収容された構造とされている。外嵌ケース１２と内嵌ケース１４はそれぞれ周壁１８，２０を備えており、図２に示すように、外嵌ケース１２の周壁１８に対して内嵌ケース１４の周壁２０が嵌め入れられることにより、外嵌ケース１２と内嵌ケース１４とが図２中の左右方向で互いに組み合わされて、矩形状の箱本体１６が構成されている。このような電気接続箱１０は、図１における上下方向が垂直方向となるように自動車の車室内等に配置される。即ち、本実施形態の電気接続箱１０は、外嵌ケース１２と内嵌ケース１４との組み合わせ方向が水平方向となるようにして縦置装着される。なお、以下の説明において、特に断りの無い限り、上方とは、図１における上側を言い、下方とは、図１における下側を言うものとする。
【００２２】
図３および図４に、内嵌ケース１４の要部として、電気接続箱１０の縦置装着状態で上方に位置する上側部分２２を拡大して示す。内嵌ケース１４は、略長手矩形の板形状を有する底壁部２４と、底壁部２４の外周縁部から側方（図４中、左側）に向かって延び出す周壁２０とを備えている。図１に示すように、内嵌ケース１４の底壁部２４には、ヒューズ装着部２６およびリレー装着部２８がそれぞれ複数開口して形成されており、図示しないヒューズやリレーがそれぞれ装着されるようになっている。また、各ヒューズ装着部２６、リレー装着部２８の底面には、複数の端子挿通孔３２が、内嵌ケース１４の底壁部２４を貫通して設けられており、図示しない通電回路部材の接続端子等が挿通配置されるようになっている。
【００２３】
内嵌ケース１４の周壁２０は、長手矩形状とされた底壁部２４の四方の端縁部から矩形筒状に延び出しており、電気接続箱１０の縦置装着状態において、電気接続箱１０の上下左右にそれぞれ配置される上側周壁２０ａと下側周壁２０ｂと右側周壁２０ｃと左側周壁２０ｄとにより構成されている。なお、以下の説明において、これらの上側周壁２０ａ，下側周壁２０ｂ，右側周壁２０ｃ，左側周壁２０ｄを区別する必要の無い場合には、これら上側周壁２０ａ，下側周壁２０ｂ，右側周壁２０ｃ，左側周壁２０ｄから構成される全体を周壁２０として説明する。
【００２４】
周壁２０の外面には、周方向で相互に離隔した適所において、周壁２０の外面から外方に向かって突出する複数の係合突起３４が一体形成されている。また、上側周壁２０ａの外面には、上側周壁２０ａの外面から外方に突出した位置で上側周壁２０ａと平行に外嵌ケース１２側に向かって延び出す係合突片３６が設けられている。
【００２５】
また、内嵌ケース１４の周壁２０の外面には、係合突起３４および係合突片３６の形成位置以外の周方向の略全周に亘って、カバー壁部４０が一体形成されている。例えば、図２に示す上側周壁２０ａの外周面上に形成されたカバー壁部４０は、上側周壁２０ａの外周面と隙間を隔てて対向配置されると共に、周壁２０の開口端縁部に至らない位置まで外嵌ケース１２側に向かって延び出している。このことから明らかなように、本実施形態においては、内嵌ケース１４の上側周壁２０ａとカバー壁部４０を含んで、内嵌ケース１４の上側部分２２が構成されている。なお、下側周壁２０ｂ，右側周壁２０ｃ，左側周壁２０ｄに設けられた各カバー壁部４０も、上側周壁２０ａに設けられたカバー壁部４０と略同様の構造とされている。また、周壁２０の角部においては、角部の全体を覆うようにして、カバー壁部４０が屈曲して設けられている。
【００２６】
図１に示すように、カバー壁部４０は、内嵌ケース１４の周方向に延びるカバー壁部４０の周方向両端部分は、何れも側端壁部４２により周壁２０と連結されている。また、カバー壁部４０における内嵌ケース１４の底壁部２４側の基端側部分も、基端壁部４４によって周壁２０と連結されている。これにより、カバー壁部４０は戸袋状の構造とされて、カバー壁部４０の内側領域への水の侵入が防止されている。また、図３に示すように、カバー壁部４０の内部には、内嵌ケース１４の周方向における適所に支持リブ４６が設けられており、カバー壁部４０が内側から支持されている。
【００２７】
また、内嵌ケース１４の上側周壁２０ａ上および上側周壁２０ａの周方向両端側の角部に形成されたカバー壁部４０には、基端壁部４４の上側角部にテーパ面４８が設けられている。一方、内嵌ケース１４の下側周壁２０ｂ，右側周壁２０ｃ，左側周壁２０ｄに設けられた各カバー壁部４０においては、基端壁部４４が何れも周壁２０から垂直に延びる壁面とされている。これにより、本実施形態の内嵌ケース１４では、上側部分２２にのみ、内嵌ケース１４の底壁部２４に向かって傾斜するテーパ面４８が形成されている。
【００２８】
図５および図６に、外嵌ケース１２の要部として、電気接続箱１０の縦置装着状態で上方に位置する外嵌ケース１２の上側部分５０を拡大して示す。外嵌ケース１２は、内嵌ケース１４の底壁部２４と略同一の大きさの略長手矩形の板形状を有する底壁部５２と、底壁部５２の外周縁部から側方（図６中、右側）に向かって延び出す周壁１８とを備えている。外嵌ケース１２の周壁１８は、内嵌ケース１４の周壁２０と同様に、長手矩形状とされた底壁部５２の四方の端縁部から内嵌ケース１４側に向かって矩形筒状に延び出しており、電気接続箱１０の縦置装着状態において、電気接続箱１０の上下左右にそれぞれ配置される上側周壁１８ａと下側周壁１８ｂと右側周壁１８ｃと左側周壁１８ｄとにより構成されている。なお、以下の説明において、これらの上側周壁１８ａ，下側周壁１８ｂ，右側周壁１８ｃ，左側周壁１８ｄを区別する必要の無い場合には、これら上側周壁１８ａ，下側周壁１８ｂ，右側周壁１８ｃ，左側周壁１８ｄから構成される全体を外嵌ケース１２の周壁１８として説明する。外嵌ケース１２の周壁１８は、内嵌ケース１４の周壁２０に比べて十分に大きな延出寸法を有しており、内嵌ケース１４と外嵌ケース１２を組み合わせた箱本体１６の内部に、図示しない通電回路部材を収容するに十分な収容空間が構成されるようになっている。
【００２９】
外嵌ケース１２の周壁１８の外面には、内嵌ケース１４の周壁２０に設けられた係合突起３４や係合突片３６と対応する位置において、係合ロック部５４および係合溝部５６がそれぞれ一体形成されている。詳細な図示は省略するが、係合ロック部５４は、周壁１８の一部が外方に向かって僅かに張り出した構造とされると共に、周壁１８の内周側に開口する図示しない凹部が形成されている。そして、この凹部に内嵌ケース１４の係合突起３４の外周面が係合することで、ロック嵌合部５８が構成されて、外嵌ケース１２と内嵌ケース１４とが位置決め状態で嵌合されるようになっている。また、係合溝部５６は、内嵌ケース１４の係合突片３６を収容し得る大きさで外嵌ケース１２の開口部側に向かって開口する溝部とされており、この係合溝部５６に対して係合突片３６が挿入されることにより、位置決め部６０が構成されるようになっている。また、外嵌ケース１２の底壁部５２には、コネクタ装着部６１が複数開口して形成されており、図示しないコネクタが装着されるようになっている。コネクタ装着部６１の底面には、複数の端子挿通孔６２が外嵌ケース１２の底壁部５２を貫通して設けられており、図示しない通電回路部材の接続端子等が挿通配置されるようになっている。さらに、外嵌ケース１２の周壁１８の適所には、ハーネス固定部６３やブラケット装着部６４が一体的に突設されている。
【００３０】
外嵌ケース１２の上側部分５０には、上側周壁１８ａの外周面上に隙間を隔てて対向配置された庇部６８が一体形成されている。図２に示すように、庇部６８は、外嵌ケース１２の周壁１８の開口端縁部を超えて内嵌ケース１４側に向かって延び出しており、外嵌ケース１２と内嵌ケース１４との重ね合わせ状態においては、庇部６８が、内嵌ケース１４の上側部分２２のテーパ面４８の上方に至る位置まで延び出している。また、庇部６８は、図５に示すように、外嵌ケース１２の周方向（図５中、左右方向）に広がる上側周壁１８ａの上方において、上側周壁１８ａの周方向全体にわたって広がっている。なお、このことから明らかなように、本実施形態においては、外嵌ケース１２の上側周壁１８ａと庇部６８を含んで、外嵌ケース１２の上側部分５０が構成されている。
【００３１】
庇部６８の厚さ寸法は略一定とされているが、庇部６８は、図５に示す正面視における右側部分および左側部分が、それぞれ、左右方向中心側から左右方向両端側に向かって、全体に略図５に示す角度α分だけ僅かに傾斜している。これにより、庇部６８の上面が、外嵌ケース１２の周方向で両端部に向かって略角度α分だけ下方に傾斜する傾斜面７０とされている。
【００３２】
このような傾斜により、庇部６８において最も下方側となる庇部６８の周方向両端部には、返し部７２が一体形成されている。返し部７２は、上方に傾斜して突出する突出部７４と、その周方向手前側の平坦部７６とから構成されている。返し部７２は、図６に示すように、庇部６８の周方向端部における庇部６８の延出先端側にのみ形成されており、返し部７２の基端側は、外嵌ケース１２の上側部分５０の基端側に向かって傾斜する傾斜面７８とされている。これにより、返し部７２の基端側は、全体が上側周壁１８ａと滑らかに連結された構造とされている。
【００３３】
庇部６８の上面には、ブラケット装着部６４から庇部６８の上面に延び出す三個の突出リブ８０が設けられており、これにより、庇部６８が補強されている。なお、突出リブ８０は、係合ロック部５４および係合溝部５６の上方を避けた位置に形成されており、これにより、内嵌ケース１４と外嵌ケース１２の組み合わせ状態において、突出リブ８０が内嵌ケース１４のテーパ面４８の上方に位置するようになっている。
【００３４】
また、図６に示すように、外嵌ケース１２の周壁１８には、係合突起３４および係合突片３６の周方向両側や、周壁１８の周方向の適所において、周壁１８の開口端縁部側に開口する複数の切欠部８２が設けられている。各切欠部８２は、外嵌ケース１２と内嵌ケース１４の重ね合わせ状態において、内嵌ケース１４の周壁に設けられた各カバー壁部４０の側端壁部４２および支持リブ４６に対応する位置に設けられており、各切欠部８２は、カバー壁部４０の延出長さと略同一の深さ寸法で形成されている。その結果、外嵌ケース１２の周壁１８の開口端縁部は、このような切欠部８２が設けられることにより、複数の開口切片８４に分割された構造とされている。
【００３５】
このような外嵌ケース１２と内嵌ケース１４は、例えば、以下のようにして互いに組み合わされて、電気接続箱１０が形成される。即ち、先ず、外嵌ケース１２の周壁１８の内側に、図示しないプリント基板等からなる通電回路部材を収容する。次に、位置決め部６０を構成する内嵌ケース１４の係合突片３６の先端を、外嵌ケース１２の各係合溝部５６内に挿入して、外嵌ケース１２と内嵌ケース１４とを相互に位置決めする。これにより、正面視での投影において、内嵌ケース１４の周壁２０の全体が、外嵌ケース１２の周壁１８の内側に正しく位置する状態となる。この状態で、内嵌ケース１４を外嵌ケース１２側にさらに押し込むと、内嵌ケース１４の周壁２０が、外嵌ケース１２の周壁１８の内側に重ね合わされた状態で外嵌ケース１２に収容されて、内嵌ケース１４と外嵌ケース１２とが組み合わされる。
【００３６】
このとき、図２に示すように、内嵌ケース１４の上側部分２２に形成されたカバー壁部４０の延出端部は、外嵌ケース１２の上側周壁１８ａと庇部６８との間に嵌め入れられる。また、外嵌ケース１２の上側周壁１８ａの開口端縁部は、内嵌ケース１４の上側周壁２０ａとカバー壁部４０との間に嵌め入れられる。即ち、電気接続箱１０の上方においては、上側から順に、外嵌ケース１２の庇部６８、内嵌ケース１４のカバー壁部４０、外嵌ケース１２の上側周壁１８ａ、内嵌ケース１４の上側周壁２０ａが、互いに重なり合った状態となる。これにより、外嵌ケース１２の上側周壁１８ａと内嵌ケース１４の上側周壁２０ａの重ね合わせ面間の開口部となる外嵌ケース１２の上側周壁１８ａの開口端縁部は、庇部６８と、カバー壁部４０とにより上方から二重に覆われることとなる。なお、図２に示されるように、このような重ね合わせ状態においては、庇部６８はカバー壁部４０の上面から上方にやや離隔して対向配置される一方、カバー壁部４０と外嵌ケース１２の上側周壁１８ａと内嵌ケース１４の上側周壁２０ａは、略隙間無く重ね合わされる。また、庇部６８の延出端縁部は、外嵌ケース１２の上側周壁１８ａの開口端縁部を超えて内嵌ケース１４側に延び出し、内嵌ケース１４のテーパ面４８の上方に離隔して配置される。
【００３７】
また、このような外嵌ケース１２と内嵌ケース１４の組み合わせ状態においては、カバー壁部４０の周方向両端部に形成された側端壁部４２および中間部の支持リブ４６は、外嵌ケース１２の開口端縁部に形成された切欠部８２に収容される。これにより、外嵌ケース１２の周壁１８の開口端縁部に形成された各開口切片８４の略全体が、戸袋状に形成されたカバー壁部４０の内部領域に嵌め入れられるようになっている。
【００３８】
なお、庇部６８が形成されていない外嵌ケース１２の下側周壁１８ｂ，右側周壁１８ｃ，左側周壁１８ｄにおいては、外嵌ケース１２の周壁１８の開口端縁部が、内嵌ケース１４の周壁２０とカバー壁部４０との間に嵌め入れられる。これにより、外嵌ケース１２の周壁１８と内嵌ケース１４の周壁２０の重ね合わせ面間の開口部となる外嵌ケース１２の周壁１８の開口端縁部は、カバー壁部４０により覆われることとなる。
【００３９】
また、外嵌ケース１２と内嵌ケース１４とが完全に組み合わされると、外嵌ケース１２の各所に設けられた係合ロック部５４が内嵌ケース１４の係合突起３４に対してそれぞれロック嵌合し、ロック嵌合部５８が構成される。また、外嵌ケース１２の係合溝部５６に対して、内嵌ケース１４の係合突片３６の全体がに完全に嵌め入れられて、位置決め部６０が構成される。これにより、外嵌ケース１２と内嵌ケース１４とが強固に嵌合されて箱本体１６が形成され、内部に通電回路部材が収容された電気接続箱１０が構成される。なお、電気接続箱１０には、適宜、図示しないヒューズやリレー、コネクタ等の電気部品が装着される。
【００４０】
完成された電気接続箱１０は、図示しない自動車の車室内等において、外嵌ケース１２と内嵌ケース１４の組み合わせ方向を水平方向にして、且つ、各ケース１２，１４の上側部分５０，２２が上方となるようにして、縦置状態で装着される。これにより、外嵌ケース１２の上側周壁１８ａに形成された庇部６８が、電気接続箱１０の上側に配置されることとなる。
【００４１】
車室内等に装着された電気接続箱１０は、通常は被水することはないが、例えば、大量の結露が発生した場合や、ユーザーが車内で飲料をこぼした場合等、何らかの要因で上方から水等の液体を被るおそれがある。このような場合には、落下された水等は、電気接続箱１０の上方に設けられた庇部６８により受けられ、庇部６８の上面の傾斜により電気接続箱１０の周方向両端部へと誘導された後、返し部７２の基端側の傾斜面７８により、電気接続箱１０の側方（外嵌ケース１２の右側周壁１８ｃまたは左側周壁１８ｄ）等へ誘導される。これにより、水等が電気接続箱１０の外嵌ケース１２と内嵌ケース１４の重ね合わせ面間に達することが未然に阻止され、電気接続箱１０の内部の通電回路部材の被水が防止される。
【００４２】
このように、本実施形態によれば、電気接続箱１０の外嵌ケース１２の周壁１８と内嵌ケース１４の周壁２０の重ね合わせ面の開口部の上側に庇部６８を設けたことにより、外嵌ケース１２と内嵌ケース１４の各周壁１８，２０の重ね合わせ部や、各周壁１８，２０に設けられたロック嵌合部５８や位置決め部６０が被水しないようにされている。その結果、外嵌ケース１２と内嵌ケース１４の重ね合わせ面間やロック嵌合部５８等から水等が電気接続箱１０の内部に入り込むこと自体を未然に防止することができる。従って、防水用の特別なゴムパッキン等を設けることなく、簡単且つ安価に電気接続箱１０の防水性を高めることができる。
【００４３】
特に、本実施形態によれば、庇部６８の上面に略角度α分の傾斜が付されていることにより、水等が庇部６８の延出先端部側から下方へ落下するよりも早く、傾斜面７０の傾斜によって庇部６８の周方向両端部側へと誘導できるようになっている。その結果、庇部６８が受けた水を、開口部等が何等形成されていない電気接続箱１０の側方を経由させて電気接続箱１０の下方へ落下させることができ、水等を外嵌ケース１２と内嵌ケース１４の重ね合わせ面間に到達させることなく、電気接続箱１０の外周面上から速やかに排除することができる。これにより、電気接続箱１０の各周壁１８，２０の重ね合わせ面間からの水の侵入を有利に防ぐことが可能となり、電気接続箱１０の内部の通電回路部材が被水する可能性を低減できる。
【００４４】
加えて、本実施形態においては、水等が誘導される庇部６８の周方向両端部には返し部７２が一体形成されており、さらに、返し部７２の基端側が、庇部６８の延出先端側とは逆方向の外嵌ケース１２の上側部分５０の基端側に向かって傾斜する傾斜面７８とされている。これにより、庇部６８の周方向両端側に誘導された庇部６８上の水を、外嵌ケース１２の上側部分５０の基端側に誘導した後に、外嵌ケース１２の右側周壁１８ｃ又は左側周壁１８ｄの基端側の壁面を伝って落下させることができる。これにより、庇部６８の周方向両端側に誘導された水が、庇部６８の延出先端部側から落下して、各ケース１２，１４の周壁１８，２０の重ね合わせ面間の開口部やロック嵌合部５８等に掛かることを防止することができる。また、庇部６８に返し部７２が設けられることにより、庇部６８の強度が向上されることから、庇部６８の肉厚寸法を小さく抑えることが可能とされている。
【００４５】
さらに、本実施形態の電気接続箱１０の内嵌ケース１４の周壁２０には、戸袋状の構造とされたカバー壁部４０が形成されており、外嵌ケース１２の上側部分５０の開口端縁部に形成された各開口切片８４が、カバー壁部４０の内部領域に収容されている。これにより、外嵌ケース１２の周壁１８の開口端縁部が、内嵌ケース１４の周壁２０とカバー壁部４０との間に嵌め入れられて、三重の重ね合わせ構造とされている。その結果、外嵌ケース１２および内嵌ケース１４の各周壁１８，２０の重ね合わせ面間の開口部が、電気接続箱１０の略全周において、カバー壁部４０により保護されて防水されるようになっている。特に、電気接続箱１０の上方においては、庇部６８の下側において、このようなカバー壁部４０が設けられていることから、仮に、水等が庇部６８の延出先端部側から下方に落下したとしても、カバー壁部４０の防水作用により各ケース１２，１４の周壁１８，２０の重ね合わせ面間には水が浸入しないようになっている。また、電気接続箱１０の上方部分において、万一、水等が庇部６８の延出先端部を越えてカバー壁部４０の延出先端側から侵入する場合にも、水は庇部６８の内面と、カバー壁部４０と、外嵌ケース１２の上側周壁１８ａと、内嵌ケース１４の上側周壁２０ａとにより構成された複雑かつ狭隘な経路を経なければ電気接続箱１０の内部空間に到達し得ないことから、水等の侵入を充分に防ぐことができる。
【００４６】
また、本実施形態においては、庇部６８の延出先端部の下方に位置する内嵌ケース１４の上側部分２２には、内嵌ケース１４の底壁部２４に向かって下方に傾斜するテーパ面４８が形成されている。これにより、庇部６８の延出先端部から内嵌ケース１４上に落下した水等を、テーパ面４８の傾斜によって、内嵌ケース１４の底壁部２４側に速やかに誘導することができる。これにより、庇部６８から落下した水等が、カバー壁部４０の延出先端側からカバー壁部４０の内側や各ケース１２，１４の周壁１８，２０の重ね合わせ面間に侵入することを有効に防止できる。特に、本実施形態の庇部６８の上面には複数の突出リブ８０が突設されているが、テーパ面４８は、この突出リブ８０の形成位置の下側においても形成されている。これにより、庇部６８の上面を周方向外方へ流下する水が突出リブ８０に遮られて庇部６８の延出端部から下方に落下する場合にも、水はテーパ面４８上に落下して、内嵌ケース１４の底壁部２４側へと誘導される。これにより、突出リブ８０の下側位置においても、水が各ケース１２，１４の周壁１８，２０の重ね合わせ面間には侵入しないようになっている。なお、本実施形態では、内嵌ケース１４の底壁部２４に形成されたヒューズ装着部２６やリレー装着部２８の外周面が、何れも、内嵌ケース１４の底壁部２４から外方に突出した構造とされていることから、水が底壁部２４の上面を伝って下降する場合にも、各ヒューズ装着部２６、リレー装着部２８の内部には水が侵入しないようになっている。
【００４７】
以上、本発明の実施形態について詳述したが、本発明はその具体的な記載によって限定されない。例えば、庇部６８の具体的な形状や上面の傾斜角度等は、電気接続箱１０上に落下された水等を外嵌ケース１２の周壁１８と内嵌ケース１４の周壁２０との重ね合わせ面間の開口部から遠ざけるように誘導できるものであれば、特に限定されない。即ち、上記実施形態では、庇部６８が外嵌ケース１２の周方向両側に向かって傾斜していたが、庇部６８の上面が、周方向一方の端部から他方の端部へ傾斜する構造とされていてもよい。また、庇部６８は、外嵌ケース１２の上側周壁１８ａの周方向両端部よりもさらに外方へ張り出して形成されていてもよい。更にまた、庇部６８の上面は、庇部６８の延出先端側から基端側に向かって傾斜していてもよい。このような構造を採用すれば、各ケース１２，１４の周壁１８，２０の重ね合わせ面間の開口部から水等をより効率的に遠ざけることができる。
【００４８】
また、返し部７２の具体的な形状や傾斜面７８の傾斜角度等も、特に限定されない。即ち、上記実施形態では、傾斜面７８の端部が、外嵌ケース１２の上側部分５０の延出方向中間部に接続されることにより、水等が外嵌ケース１２の右側周壁１８ｃおよび左側周壁１８ｄの延出方向中間部を流下するように設計されていたが、例えば、外嵌ケース１２の底壁部５２に端子挿通孔６２等の開口部が設けられていない場合には、水等を外嵌ケース１２の底壁部５２側まで誘導するようにしてもよい。また、庇部６８の延出先端側の全体又は一部に返し部７２を形成してもよい。
【００４９】
さらに、係合突起３４と係合ロック部５４からなるロック嵌合部５８や、係合突片３６と係合溝部５６からなる位置決め部６０の具体的な形状や形成位置等も、任意に変更が可能である。特に、上記実施形態では、上側周壁１８，２０にもロック嵌合部５８や位置決め部６０が形成されていたが、ロック嵌合部５８や位置決め部６０を、周壁１８，２０全体のうち上側周壁１８ａ，２０ａ以外にのみ設けるようにしてもよい。これにより、庇部６８の下側の上側周壁１８ａの全体にカバー壁部４０を設けることが可能となり、防水性をより高めることができる。なお、上記実施形態では、内嵌ケース１４の上側部分２２における係合突起３４の形成位置にはカバー壁部４０が形成されていないことから、テーパ面４８が設けられない構造とされていたが、勿論、このような係合突起３４の形成位置にもテーパ面４８を設けてもよい。これにより、ロック嵌合部５８からの水の侵入をより効果的に防止することができる。
【符号の説明】
【００５０】
１０：電気接続箱、１２：外嵌ケース、１４：内嵌ケース、１６：箱本体、１８，２０：周壁、２２，５０：上側部分、２４：底壁部、４０：カバー壁部、４８：テーパ面、６８：庇部、７０，７８：傾斜面
【図１】
0005626703.tif 000002
【図２】
0005626703.tif 000003
【図３】
0005626703.tif 000004
【図４】
0005626703.tif 000005
【図５】
0005626703.tif 000006
【図６】
0005626703.tif 000007